【手続補正書】
【提出日】平成20年1月22日(2008.1.22)
【手続補正１】
【補正対象書類名】特許請求の範囲
【補正対象項目名】全文
【補正方法】変更
【補正の内容】
【特許請求の範囲】
【請求項１】
呼出信号を受信して、予め記憶されている着信音データを再生することにより、被呼動作を行う情報端末であって、
標準の音声データを予め記憶しておく標準音声データ記憶手段と、
前記呼出信号と、該呼出信号に関連づけられた音声データとを受信する呼出信号受信手段と、
前記受信した呼出信号に前記音声データが関連づけられているか否かを判断する呼出信号判断手段と、
前記呼出信号に前記音声データが関連づけられている場合に、前記受信した音声データと前記標準音声データとを所定の方法で組み合わせることによって合成音声データを合成する音声データ合成手段と、
前記合成音声データが合成された場合には、前記着信音データに代えて該合成音声データを再生するデータ再生手段と
を備えた情報端末。
【請求項２】
前記標準音声データ記憶手段は、名前に対応した音声データを記憶している請求項１記載の情報端末。
【請求項３】
前記標準音声データ記憶手段は、所定のメロディを記憶している請求項１記載の情報端末。
【請求項４】
呼出信号を受信して、予め記憶されている着信音データを再生することにより、被呼動作を行う情報端末の被呼方法であって、
標準の音声データを予め記憶しておき、
前記呼出信号と、該呼出信号に関連づけられた音声データとを受信し、
前記受信した呼出信号に前記音声データが関連づけられているか否かを判断し、
前記呼出信号に前記音声データが関連づけられている場合に、前記受信した音声データと前記標準音声データとを所定の方法で組み合わせることによって合成音声データを合成しと、
前記合成音声データが合成された場合には、前記着信音データに代えて該合成音声データを再生する
情報端末の被呼方法。
【請求項５】
呼出信号を受信して、予め記憶されている着信音データを再生することにより、被呼動作を行う情報端末と該情報端末への少なくとも発呼動作を行なう交換局とからなる情報システムであって、
前記交換局には、
標準の音声データを予め記憶しておく標準音声データ記憶手段と、
前記情報端末への呼出信号と、該呼出信号に関連づけられた音声データとを受信する呼出信号受信手段と、
前記受信した呼出信号に前記音声データが関連づけられているか否かを判断する呼出信号判断手段と、
前記呼出信号に前記音声データが関連づけられている場合に、前記受信した音声データと前記標準音声データとを所定の方法で組み合わせることによって合成音声データを合成し、前記情報端末に、前記発呼信号と共に送信する手段と
を備え、
前記情報端末は、
前記発呼信号と、前記合成音声データを受け取った時、前記着信音データに代えて該合成音声データを再生するデータ再生手段と
を備える
情報システム。
【手続補正２】
【補正対象書類名】明細書
【補正対象項目名】０００８
【補正方法】変更
【補正の内容】
【０００８】
上述の課題の少なくとも一部を解決するために、本発明の情報端末は次の構成を採用した。すなわち、
呼出信号を受信して、予め記憶されている着信音データを再生することにより、被呼動作を行う情報端末であって、
標準の音声データを予め記憶しておく標準音声データ記憶手段と、
前記呼出信号と、該呼出信号に関連づけられた音声データとを受信する呼出信号受信手段と、
前記受信した呼出信号に前記音声データが関連づけられているか否かを判断する呼出信号判断手段と、
前記呼出信号に前記音声データが関連づけられている場合に、前記受信した音声データと前記標準音声データとを所定の方法で組み合わせることによって合成音声データを合成する音声データ合成手段と、
前記合成音声データが合成された場合には、前記着信音データに代えて該合成音声データを再生するデータ再生手段と
を備えることを要旨とする。
【手続補正３】
【補正対象書類名】明細書
【補正対象項目名】０００９
【補正方法】変更
【補正の内容】
【０００９】
また、上記の情報端末に対応する本発明の情報端末の被呼方法は、
呼出信号を受信して、予め記憶されている着信音データを再生することにより、被呼動作を行う情報端末の被呼方法であって、
標準の音声データを予め記憶しておき、
前記呼出信号と、該呼出信号に関連づけられた音声データとを受信し、
前記受信した呼出信号に前記音声データが関連づけられているか否かを判断し、
前記呼出信号に前記音声データが関連づけられている場合に、前記受信した音声データと前記標準音声データとを所定の方法で組み合わせることによって合成音声データを合成しと、
前記合成音声データが合成された場合には、前記着信音データに代えて該合成音声データを再生することを要旨とする。
【手続補正４】
【補正対象書類名】明細書
【補正対象項目名】００１０
【補正方法】変更
【補正の内容】
【００１０】
かかる情報端末あるいは情報端末の被呼方法においては、受信した呼出信号に音声データが関連づけられているか否かを判断し、関連づけられている場合には、受信した音声データと標準音声データとを所定の方法で組み合わせた合成音声データを着信音データに代えて再生する。送信されてきた音声データに、情報端末に予め記憶されている標準の音声データを組み合わせたものが、着信音として再生されるので、聞き慣れない着信音が送信されてきた場合でも、聞き慣れた標準の着信音とともに再生されるので、情報端末が呼出信号を受信したことに、より気付き易くなって好ましい。ここで、呼出信号と音声データとが関連づけられているとは、例えば、呼出信号に続けて音声データが送信されたり、あるいは音声データが呼出信号に添付されているといったように、呼出信号と音声データとの間に何らかの関連が認められる状態を言う。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
本発明は、情報システムとして把握することも可能である。このような、本発明の情報システムは、構成を採用した。すなわち、
呼出信号を受信して、予め記憶されている着信音データを再生することにより、被呼動作を行う情報端末と該情報端末への少なくとも発呼動作を行なう交換局とからなる情報システムであって、
前記交換局には、
標準の音声データを予め記憶しておく標準音声データ記憶手段と、
前記情報端末への呼出信号と、該呼出信号に関連づけられた音声データとを受信する呼出信号受信手段と、
前記受信した呼出信号に前記音声データが関連づけられているか否かを判断する呼出信号判断手段と、
前記呼出信号に前記音声データが関連づけられている場合に、前記受信した音声データと前記標準音声データとを所定の方法で組み合わせることによって合成音声データを合成し、前記情報端末に、前記発呼信号と共に送信する手段と
を備え、
前記情報端末は、
前記発呼信号と、前記合成音声データを受け取った時、前記着信音データに代えて該合成音声データを再生するデータ再生手段と
を備えることを要旨とする。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】変更
【補正の内容】
【００２３】
本発明の作用・効果をより明確に説明するために、次のような順序に従って、本発明の実施例を説明する。なお、本発明の実施例は、以下の「第２実施例」が相当し、第１実施例は、本発明の実施例を説明するための構成例であるが、具体的態様のかなりの部分が共通しているので、以下の説明では「第１実施例」と呼ぶ。
Ａ．実施の形態：
Ｂ．第１実施例：
Ｂ−１．情報端末の概要：
Ｂ−２．回線接続のしくみ：
Ｂ−３．第１実施例の着信動作：
Ｂ−４．第１実施例の変形例：
Ｃ．第２実施例：
Ｃ−１．第２実施例の着信動作：
Ｃ−２．第２実施例の変形例：